(57)【特許請求の範囲】
【請求項１】
下端に羽根車（２）を止着した駆動軸（３）を揚水管（７）に垂設し、揚水管（７）に配設した中間軸受（８）で駆動軸（３）を回転自在に軸支させると共に、吸込ベル（１）の吸込口（１ａ）から吸入した水を羽根車（２）で加圧して、吐出ボウル（５）の案内羽根（４）で整流化させた流水を揚水管（７）に揚水する立軸ポンプにおいて、駆動軸（３）を軸支する中間軸受（８）の支持リブ（９）と吐出ボウル（５）に配設した案内羽根（４）を揚水方向に垂設した仕切板（１５）で連結して、揚水管（７）に案内羽根（４）から中間軸受（８）まで連続する複数の揚水流路（Ａ…）を形成したことを特徴とする立軸ポンプ。
【請求項２】
上記案内羽根（４）の枚数を中間軸受（８）の支持リブ（９）の本数より多く配設し、支持リブ（９）と任意の案内羽根（４）を仕切板（１５）で連結したことを特徴とする請求項１記載の立軸ポンプ。
【発明の詳細な説明】
【０００１】
【発明の属する技術分野】
この発明は、雨水または汚水等の排水に用いる立軸斜流ポンプあるいは立軸軸流ポンプに関する。
【０００２】
【従来の技術】
従来、雨水または汚水等に用いられる立軸斜流ポンプあるいは立軸軸流ポンプは、長い駆動軸の中位部を揚水管に配設した中間軸受で軸支して、駆動軸の偏芯回転や振動を防止する装置は、例えば、特開平１１−３７０８２号の図８に図示してあるように公知である。
【０００３】
【発明が解決しょうとする課題】
下水道等の汚水中には様々な物体が含まれており、流れてきた紐状物などが立軸ポンプの前段に設置したスクリーンを潜り抜け、ポンプに吸込まれる。ポンプの羽根車や案内羽根は、水流の流れ方向の羽根幅が広く絡み付くことが少なく揚水管に流出する。羽根車や案内羽根に絡み付いた紐状物は、羽根車の回転と加速された旋回流で絡み付きが外れる。図５および図６は中間軸受の支持リブに紐状物が絡み付く概念図であって、ポンプに吸込まれた紐状物Ｂは、羽根車と案内羽根を通過して、流れ方向の幅が短い中間軸受の支持リブに、多くの絡み付きが発生する。紐状物は旋回流による外乱も無いことから、一度絡み付くと揚水流では外れず、後から流れてくる紐状物がさらに絡み付き成長する。揚水管に絡み付いた物体により揚水流路が狭くなり、ついには閉塞して揚水が不能となる。現状では、揚水管の閉塞の都度運転を停止して分解し、絡み付いた物体を除去する必要がある。この発明は、紐状物の絡み付きの無い立軸ポンプの中間軸受を提供することを目的とする。
【０００４】
【課題を解決するための手段】
この発明の要旨は、下端に羽根車を止着した駆動軸を揚水管に垂設し、揚水管に配設した中間軸受で駆動軸を回転自在に軸支させると共に、吸込ベルの吸込口から吸入した水を羽根車で加圧して、吐出ボウルの案内羽根で整流化させた流水を揚水管に揚水する立軸ポンプにおいて、駆動軸を軸支する中間軸受の支持リブと吐出ボウルに配設した案内羽根を揚水方向に垂設した仕切板で連結して、揚水管に案内羽根から中間軸受まで連続する複数の揚水流路を形成し、紐状物の絡みつきを防止するものである。揚水管を分割する揚水流路は、案内羽根の枚数を中間軸受の支持リブの本数より多く配設して、支持リブと任意の案内羽根を仕切板に連結してもよいものである。
【０００５】
【発明の実施の形態】
ポンプに吸込まれた紐状物は羽根車と案内羽根を通過して、案内羽根から中間軸受まで連続して形成された複数の揚水流路を上昇する。揚水管に揚水上の障害物が排除され、紐状物が中間軸受の支持リブに絡みつくことがなく、揚水管を閉塞されることがない。また、羽根車の加圧旋回流を案内羽根で直線流に変換し、仕切板で更に整流化させるので、整流化の相乗効果を奏する。そして、仕切板の上端部を駆動軸の中間軸受に連結してあるので、中間軸受が揚水の水流抵抗となることがなく、駆動軸の外周面に設けた保護管の剛性も高めることができる。
【０００６】
【実施例】
この発明の実施例を図面に基づき詳述すると、まず、図１は立軸斜流ポンプであって、吸込ベル１に配設した羽根車２が垂下した駆動軸３の下端に止着してあり、羽根車２の上方近傍に複数枚の案内羽根４…が配設してある。この案内羽根４は吐出ボウル５の内周面と駆動軸３の下部を軸支した軸受ケース６の外周面に連結してある。揚水管７の上部に配設した中間軸受８に駆動軸３が軸支してあり、中間軸受８は複数本の垂設した平板状の支持リブ９…に連結され、この支持リブ９…を揚水管７の内周面に止着してある。駆動軸３の外周には保護管１０が配設してあり、保護管の上下端が中間軸受８の下端と案内羽根４の軸受ケース６の上端にそれぞれ止着してある。揚水管７の上部に吐出エルボ１１が連結してあり、吐出エルボ１１の上部周壁に配設した軸受箱１２に、駆動機（図示せず）に連動連結した上部駆動軸１３を軸支してある。吐出エルボ１１の内部に垂下させた上部駆動軸１３の下端が軸継手１４を介して駆動軸３の上端に連結してあり、駆動機の動力を羽根車２に伝達させる。吸込ベル１の吸込口１ａから吸込んだ水を羽根車２で加圧して、加圧旋回流を案内羽根４で直線流に整流化させ、揚水管７を揚水させて吐出エルボ１１から排水させる。
【０００７】
図２は立軸斜流ポンプに内設した案内羽根と中間軸受の斜視図であって、揚水管７の上部に止着した中間軸受８の支持リブ９と吐出ボウル５に配設した案内羽根４を複数枚の垂設した仕切板１５で連結してある。この仕切板１５の両側面が揚水管７の内周面と保護管１０の外周面に止着して、複数の揚水流路Ａ…が形成してある。紐状物Ｂがポンプに流入しても、案内羽根４から中間軸受８まで連続した複数の揚水流路Ａ…が形成されるので、揚水上の障害物が排除され、紐状物Ｂがポンプの内部に絡まることがない。また、揚水管７に止着した仕切板１５で保護管１０が補強され、保護管１０の振動も補強効果により防止される。羽根車２の加圧旋回流を案内羽根で直線流に変換し、仕切板で更に整流化させるので、整流化の相乗効果が得られる。
【０００８】
図３（ａ）、（ｂ）は吐出ボウルと揚水管の横断概念図であって、この実施例では、駆動軸３を軸支する中間軸受８は、図２に示す３本の支持リブ９…が揚水管７に等間隔（１２０°）に連結してあり、この３本の支持リブ９の下端に仕切板１５が止着してある。６枚の案内羽根４が吐出ボウル５を等間隔（６０°）に分割して止着してあり、１枚おきの案内羽根４と仕切板１５の下端が連結してあり、吐出ボウル５と揚水管７を均等（１２０°）に３分割する揚水流路Ａ…を形成してある。
【０００９】
図４（ａ）、（ｂ）は、吐出ボウルと揚水管の、他の実施例の横断概念図であって、この実施例では、図２および図３（ｂ）と同様の中間軸受８に設けた３本の支持リブ９が揚水管７を等間隔（１２０°）に分割してある。吐出ボウル５には７枚の案内羽根４…が吐出ボウル５を分割（略５１．４°）して配設してあり、上端を支持リブ９に連結した３枚の仕切板１５…の下端が、吐出ボウル５を不均等に分割する１枚おき（略１０２．８°）と２枚おき（略１５４．２°）の案内羽根４に連結して、揚水管７を３分割する不均等な揚水流路Ａ…を形成してある。なお、案内羽根４の枚数は３〜９枚、中間軸８の支持ボス９は３〜５個としても、揚水流路Ａは形成されるもので、中間軸受８の支持ボス９の位置を案内羽根４の枚数に合せて振り分けてもよいものである。なお、狭い複数の揚水流路Ａを流れることで、揚水管７の管摩擦損失は多少増加するものであるが、揚水管７を幾分太くし、流速を低くすることで摩擦損失増加を抑制することも可能である。
【００１０】
【発明の効果】
この発明は上記のように構成してあり、立軸ポンプの揚水管に密閉した複数の揚水流路を形成したので、紐状物の絡みつきが防止されるものである。即ち、従来の立軸ポンプにあっては、ポンプに吸込まれた紐状物が駆動軸を軸支する中間軸受に絡み付き、揚水管を閉塞させる恐れがあった。また、中間軸受が水流抵抗となるものであるが、この発明にあっては、駆動軸を軸支する中間軸受の支持リブと吐出ボウルに配設した案内羽根を揚水方向に垂設した仕切板で連結して、揚水管に案内羽根から中間軸受まで連続する複数の揚水流路Ａ…を形成したので、紐状物がポンプの内部に絡まることがなく、中間軸受が水流抵抗となることもない。また、羽根車２の加圧旋回流を案内羽根４と揚水流路Ａで整流化させるので相乗効果も得られる。そして、保護管が揚水管に止着した仕切板で補強され、補強効果により保護管の振動が防止される。したがって、揚水上の障害物が排除され、安定したポンプ運転が可能となり、揚水効果も向上する。
【図面の簡単な説明】
【図１】この発明に係る立軸斜流ポンプの縦断面図である。
【図２】この発明に係る立軸斜流ポンプに内設した案内羽根から中間軸受に形成した揚水流路の斜視図である。
【図３】同じく、立軸ポンプの横断概念図であって、（ａ）は案内羽根の配設状態を示す吐出ボウル、（ｂ）は仕切板の配設状態を示す揚水管である。
【図４】同じく、他の実施例、立軸ポンプの横断概念図であって、（ａ）は案内羽根の配設状態を示す吐出ボウル、（ｂ）は仕切板の配設状態を示す揚水管である。
【図５】従来の、流入してくる紐状物が中間軸受の支持リブにひっかかる状態を示す概念図である。
【図６】同じく、中間軸受の支持リブに紐状物が絡み付く状態を示す概念図であって
【符号の説明】
１  吸込ベル
１ａ  吸込口
２  羽根車
３  駆動軸
４  案内羽根
５  吐出ボウル
７  揚水管
８  中間軸受
９  支持リブ
１５  仕切板
Ａ  揚水流路
【図１】
0003925250.tif 000002
【図２】
0003925250.tif 000003
【図３】
0003925250.tif 000004
【図４】
0003925250.tif 000005
【図５】
0003925250.tif 000006
【図６】
0003925250.tif 000007